(57)【要約】【課題】洗浄殺菌装置において、吐出されている電解水の種類を直感的に判断できるようにする。【解決手段】洗浄殺菌装置１００は、電解水生成部１１０と、第１流路１２０と、第２流路１３０と、吐水部１４０とを備えている。電解水生成部１１０は、アルカリ性水１１および酸性水１２を生成する。第１流路１２０は、電解水生成部１１０に接続され、アルカリ性水１１が流れる。第２流路１３０は、電解水生成部１１０に接続され、酸性水１２が流れる。吐水部１４０は、第１流路１２０および第２流路１３０の両方に接続され、発光部１４１を含んでいる。発光部１４１は、吐水部１４０からアルカリ性水１１が吐出されているときと、吐水部１４０から酸性水１２が吐出されているときとで、互いに異なる色で発光する。【選択図】図１
2020065987.tif 000002
【特許請求の範囲】
【請求項１】
アルカリ性水および酸性水を生成する電解水生成部と、
前記電解水生成部に接続され、前記アルカリ性水が流れる第１流路と、
前記電解水生成部に接続され、前記酸性水が流れる第２流路と、
前記第１流路および前記第２流路の両方に接続され、発光部を含む吐水部とを備え、
前記発光部は、前記吐水部から前記アルカリ性水が吐出されているときと、前記吐水部から前記酸性水が吐出されているときとで、互いに異なる色で発光する、洗浄殺菌装置。
【請求項２】
前記発光部は、前記吐水部から前記アルカリ性水が吐出されているときには青色に発光し、前記吐水部から前記酸性水が吐出されているときには赤色に発光する、請求項１に記載の洗浄殺菌装置。
【請求項３】
前記吐水部から前記アルカリ性水が吐出している第１洗浄時間と、前記吐水部から前記酸性水が吐出している第２洗浄時間との間に、前記吐水部からの前記アルカリ性水および前記酸性水の各々の吐出が停止している瞬間停止時間が設けられている、請求項１または請求項２に記載の洗浄殺菌装置。
【発明の詳細な説明】
【技術分野】
【０００１】
本発明は、洗浄殺菌装置に関する。
【背景技術】
【０００２】
洗浄殺菌装置の構成を開示した先行文献として、特開２００９−１７８６４０号公報（特許文献１）がある。特許文献１に記載された洗浄殺菌装置は、電解水生成装置と、吐水用水路とを備えている。電解水生成装置は、水道水、若しくは、純水に電解質を添加した被電解水を、隔膜で仕切られた陰極室と陽極室で電気分解して、陰極側からアルカリ性水を生成し、陽極側から酸性水を生成する。吐水用水路は、陽極室の酸性水採水口と吐水口との間を連通し、かつ、陰極室のアルカリ性水採水口と吐水口との間を連通する。洗浄殺菌装置は操作部をさらに備えている。吐水口は、操作部の前面に設けた可撓性吐水ホースの先端部に設けられている。操作部は、吐水口から洗浄用のアルカリ性水を吐水する時に点灯するアルカリ性水吐水モード表示ランプ、酸性水を吐水する時に点灯する酸性水吐水モード表示ランプを有している。
【先行技術文献】
【特許文献】
【０００３】
【特許文献１】特開２００９−１７８６４０号公報
【発明の概要】
【発明が解決しようとする課題】
【０００４】
従来の洗浄殺菌装置においては、吐出されている電解水の種類が表示されないか、吐水部から離れた位置に配置された複数の表示ランプを確認することにより、吐出されている電解水の種類を判断しなければならなかった。本発明は上記の問題点に鑑みてなされたものであって、吐水部自体の発光状態を確認することで、吐出されている電解水の種類を直感的に判断できる、洗浄殺菌装置を提供することを目的とする。
【課題を解決するための手段】
【０００５】
本発明に基づく洗浄殺菌装置は、電解水生成部と、第１流路と、第２流路と、吐水部とを備えている。電解水生成部は、アルカリ性水および酸性水を生成する。第１流路は、電解水生成部に接続され、アルカリ性水が流れる。第２流路は、電解水生成部に接続され、酸性水が流れる。吐水部は、第１流路および第２流路の両方に接続され、発光部を含んでいる。発光部は、吐水部からアルカリ性水が吐出されているときと、吐水部から酸性水が吐出されているときとで、互いに異なる色で発光する。
【０００６】
本発明の一形態においては、発光部は、吐水部からアルカリ性水が吐出されているときには青色に発光し、吐水部から酸性水が吐出されているときには赤色に発光する。
【０００７】
本発明の一形態においては、洗浄殺菌装置は、吐水部からアルカリ性水が吐出している第１洗浄時間と、吐水部から酸性水が吐出している第２洗浄時間との間に、吐水部からのアルカリ性水および酸性水の各々の吐出が停止している瞬間停止時間が設けられている。
【発明の効果】
【０００８】
本発明は、吐水部自体の発光状態を確認することで、吐出されている電解水の種類を直感的に判断することができる。
【図面の簡単な説明】
【０００９】
【図１】本発明の一実施形態に係る洗浄殺菌装置の構成を示す図である。
【図２】本発明の一実施形態に係る洗浄殺菌装置の制御系統を示すブロック図である。
【図３】本発明の一実施形態に係る洗浄殺菌装置の制御部によって行なわれる制御フローを示すフローチャートである。
【図４】本発明の一実施形態に係る洗浄殺菌装置の各構成の制御部からの制御信号に基づく一連の動作状態の経時変化を示すタイムチャートである。
【発明を実施するための形態】
【００１０】
以下、本発明の一実施形態に係る洗浄殺菌装置について図面を参照して説明する。以下の実施形態の説明においては、図中の同一または相当部分には同一符号を付してその説明は繰り返さない。
【００１１】
図１は、本発明の一実施形態に係る洗浄殺菌装置の構成を示す図である。図２は、本発明の一実施形態に係る洗浄殺菌装置の制御系統を示すブロック図である。
【００１２】
図１に示すように、本発明の一実施形態に係る洗浄殺菌装置１００は、電解水生成部１１０と、第１流路１２０と、第２流路１３０と、吐水部１４０と、制御部１５０とを備えている。
【００１３】
本実施形態において、電解水生成部１１０には、水道水を供給するための給水部１１１と、供給された水道水に含まれるイオンの一部を除去するための軟水フィルタ１１２とが接続されている。
【００１４】
電解水生成部１１０には、給水部１１１から供給された水道水を軟水フィルタ１１２に通過させることにより得られた原料水が供給される。電解水生成部１１０において、たとえば塩化ナトリウムなどの電解質が原料水に添加され、電解質が添加された原料水が電気分解される。
【００１５】
電解水生成部１１０は、陰極室および陽極室を含んでいる。上記電気分解によって、陰極室において強アルカリ性電解水であるアルカリ性水１１が生成され、陽極室において強酸性電解水である酸性水１２が生成される。このようにして、電解水生成部１１０は、アルカリ性水１１および酸性水１２を生成する。
【００１６】
アルカリ性水１１は、油脂およびタンパク質の少なくとも一方による汚れを洗浄する作用を有している。酸性水１２は、たとえば次亜塩素酸を含んでおり、食中毒菌などの病原菌に対する殺菌作用を有している。アルカリ性水１１によって被洗浄物を洗浄した後に、酸性水１２によって被洗浄物を洗浄することにより、被洗浄物に付着したアルカリ性水を中和しつつ、被洗浄物を洗浄殺菌することができる。
【００１７】
図１に示すように、第１流路１２０は、電解水生成部１１０および吐水部１４０の各々に接続されている。具体的には、第１流路１２０は、電解水生成部１１０における陰極室に接続されている。すなわち、第１流路１２０においては、アルカリ性水１１が流れる。
【００１８】
本実施形態において、第１流路１２０は、第１供給配管１２１と、第１供給配管１２１に対して吐水部１４０側に位置する第１吐水配管１２２と、第１供給配管１２１および第１吐水配管１２２の間に設けられたアルカリ性水タンク１２３とを含んでいる。
【００１９】
第１供給配管１２１は、電解水生成部１１０とアルカリ性水タンク１２３とを互いに接続している。第１供給配管１２１は、アルカリ性水タンク１２３の上部に接続されている。このため、アルカリ性水１１は、アルカリ性水タンク１２３の上部からアルカリ性水タンク１２３内に供給される。
【００２０】
第１吐水配管１２２は、アルカリ性水タンク１２３と吐水部１４０とを互いに接続している。第１吐水配管１２２は、アルカリ性水タンク１２３の下部に接続されている。このため、アルカリ性水タンク１２３内に貯水されたアルカリ性水１１は、アルカリ性水タンク１２３の下部から第１吐水配管１２２を通って吐水部１４０に送水される。
【００２１】
第１吐水配管１２２には、アルカリ性水１１を吐水部１４０側に圧送する第１ポンプ１２８と、第１ポンプ１２８に対して吐水部１４０側に位置する第１開閉弁１２９とが設けられている。このように、第１流路１２０は、第１ポンプ１２８と、第１開閉弁１２９とをさらに含む。
【００２２】
第１開閉弁１２９を開状態にして、第１ポンプ１２８を運転することにより、アルカリ性水タンク１２３に貯水されたアルカリ性水１１が吐水部１４０から吐出される。また、図２に示すように、第１ポンプ１２８および第１開閉弁１２９の各々は、制御部１５０に電気的に接続されている。
【００２３】
第１吐水配管１２２には、第１ポンプ１２８と第１開閉弁１２９との間に、第１逆止弁１２７が設けられている。第１開閉弁１２９が開状態から閉状態になるとき、第１逆止弁１２７によって、第１吐水配管１２２内におけるウォータハンマ現象の発生が抑制される。
【００２４】
本実施形態において、アルカリ性水タンク１２３は、アルカリ性水１１をたとえば約１５リットル貯水することができる。また、アルカリ性水タンク１２３は、内側側面部に配置された、第１アルカリ性水センサ１２３ａと、第２アルカリ性水センサ１２３ｂと、第３アルカリ性水センサ１２３ｃとを有している。第１アルカリ性水センサ１２３ａは、第２アルカリ性水センサ１２３ｂより上方に設けられている。第３アルカリ性水センサ１２３ｃは、第２アルカリ性水センサ１２３ｂより下方に設けられている。
【００２５】
第１〜第３アルカリ性水センサ１２３ａ〜ｃの各々は、取付けられた位置においてアルカリ性水１１が存在しているか否かを検知する。すなわち、第１〜第３アルカリ性水センサ１２３ａ〜ｃの各々は、水位センサである。図２に示すように、第１〜第３アルカリ性水センサ１２３ａ〜ｃの各々は、制御部１５０に電気的に接続されている。
【００２６】
本実施形態において、第１流路１２０は、第１吐水配管１２２における第１ポンプ１２８および第１開閉弁１２９の間と、アルカリ性水タンク１２３とを、互いに接続する第１戻り配管１２４をさらに含んでいる。第１戻り配管１２４は、第１吐水配管１２２において、第１ポンプ１２８および第１逆止弁１２７の間に接続されている。
【００２７】
第１戻り配管１２４には、第１戻り開閉弁１２４ａと、第１戻り開閉弁１２４ａおよびアルカリ性水タンク１２３の間に配置された第１加温ヒータ１２４ｂとが設けられている。第１開閉弁１２９を閉状態にしつつ第１戻り開閉弁１２４ａを開状態にして第１加温ヒータ１２４ｂを稼働させるとともに、第１ポンプ１２８を運転させることにより、アルカリ性水タンク１２３に貯水されたアルカリ性水１１を循環させつつ温めることができる。
【００２８】
また、第１加温ヒータ１２４ｂは、吐水部１４０からアルカリ性水１１が吐出されている際に稼働していてもよい。すなわち、第１開閉弁１２９を開状態にして、第１ポンプ１２８を運転させるとともに、第１戻り開閉弁１２４ａを開状態にして第１加温ヒータ１２４ｂを稼働させてもよい。この場合、吐水部１４０に送られるアルカリ性水１１の一部を分離してアルカリ性水タンク１２３に戻すことにより、アルカリ性水１１を循環させつつ温めることができる。
【００２９】
上記のように、本実施形態に係る洗浄殺菌装置１００は、温かいアルカリ性水１１を連続的に吐出することができるように構成されている。
【００３０】
第１戻り開閉弁１２４ａおよび第１加温ヒータ１２４ｂの各々は、制御部１５０に電気的に接続されて第１開閉弁１２９および第１ポンプ１２８の各々と連動するように制御されてもよいし、制御部１５０とは別に設けられた第２の制御部に接続されて第１開閉弁１２９および第１ポンプ１２８の各々とは独立して制御されてもよい。
【００３１】
図１に示すように、第２流路１３０は、電解水生成部１１０および吐水部１４０の各々に接続されている。具体的には、第２流路１３０は、電解水生成部１１０における陽極室に接続されている。すなわち、第２流路１３０においては、酸性水１２が流れる。
【００３２】
本実施形態において、第２流路１３０は、第２供給配管１３１と、第２供給配管１３１に対して吐水部１４０側に位置する第２吐水配管１３２と、第２供給配管１３１および第２吐水配管１３２の間に設けられた酸性水タンク１３３とを含んでいる。
【００３３】
第２供給配管１３１は、電解水生成部１１０と酸性水タンク１３３とを互いに接続している。第２供給配管１３１は、酸性水タンク１３３の上部に接続されている。このため、酸性水１２は、酸性水タンク１３３の上部から酸性水タンク１３３内に供給される。
【００３４】
第２吐水配管１３２は、酸性水タンク１３３と吐水部１４０とを互いに接続している。第２吐水配管１３２は、酸性水タンク１３３の下部に接続されている。このため、酸性水タンク１３３内に貯水された酸性水１２は、酸性水タンク１３３の下部から第２吐水配管１３２を通って吐水部１４０に送水される。
【００３５】
第２吐水配管１３２には、酸性水１２を吐水部１４０側に圧送する第２ポンプ１３８と、第２ポンプ１３８に対して吐水部１４０側に位置する第２開閉弁１３９とが設けられている。このように、第２流路１３０は、第２ポンプ１３８と、第２開閉弁１３９とをさらに含む。
【００３６】
第２開閉弁１３９を開状態にして、第２ポンプ１３８を運転することにより、酸性水タンク１３３に貯水された酸性水１２が吐水部１４０から吐出される。また、図２に示すように、第２ポンプ１３８および第２開閉弁１３９の各々は、制御部１５０に電気的に接続されている。
【００３７】
第２吐水配管１３２には、第２ポンプ１３８と第２開閉弁１３９との間に、第２逆止弁１３７が設けられている。第２開閉弁１３９が開状態から閉状態になるとき、第２逆止弁１３７によって、第２吐水配管１３２内におけるウォータハンマ現象の発生が抑制される。
【００３８】
本実施形態において、酸性水タンク１３３は、酸性水１２をたとえば約１５リットル貯水することができる。また、酸性水タンク１３３は、内側側面部に配置された、第１酸性水センサ１３３ａと、第２酸性水センサ１３３ｂと、第３酸性水センサ１３３ｃとを有している。第１酸性水センサ１３３ａは、第２酸性水センサ１３３ｂより上方に設けられている。第３酸性水センサ１３３ｃは、第２酸性水センサ１３３ｂより下方に設けられている。
【００３９】
第１〜第３酸性水センサ１３３ａ〜ｃの各々は、取付けられた位置において酸性水１２が存在しているか否かを検知する。すなわち、第１〜第３酸性水センサ１３３ａ〜ｃの各々は、水位センサである。図２に示すように、第１〜第３酸性水センサ１３３ａ〜ｃの各々は、制御部１５０に電気的に接続されている。
【００４０】
本実施形態において、第２流路１３０は、第２吐水配管１３２における第２ポンプ１３８および第２開閉弁１３９の間と、酸性水タンク１３３とを、互いに接続する第２戻り配管１３４をさらに含んでいる。第２戻り配管１３４は、第２吐水配管１３２において、第２ポンプ１３８および第２逆止弁１３７の間に接続されている。
【００４１】
第２戻り配管１３４には、第２戻り開閉弁１３４ａと、第２戻り開閉弁１３４ａおよび酸性水タンク１３３の間に配置された第２加温ヒータ１３４ｂとが設けられている。第２開閉弁１３９を閉状態にしつつ第２戻り開閉弁１３４ａを開状態にして第２加温ヒータ１３４ｂを稼働させるとともに、第２ポンプ１３８を運転させることにより、酸性水タンク１３３に貯水された酸性水１２を循環させつつ温めることができる。
【００４２】
また、第２加温ヒータ１３４ｂは、吐水部１４０から酸性水１２が吐出されている際に稼働していてもよい。すなわち、第２開閉弁１３９を開状態にして、第２ポンプ１３８を運転させるとともに、第２戻り開閉弁１３４ａを開状態にして第２加温ヒータ１３４ｂを稼働させてもよい。この場合、吐水部１４０に送られる酸性水１２の一部を分離して酸性水タンク１３３に戻すことにより、酸性水１２を循環させつつ温めることができる。
【００４３】
上記のように、本実施形態に係る洗浄殺菌装置１００は、温かい酸性水１２を連続的に吐出することができるように構成されている。
【００４４】
第２戻り開閉弁１３４ａおよび第２加温ヒータ１３４ｂの各々は、制御部１５０に電気的に接続されて第２開閉弁１３９および第２ポンプ１３８の各々と連動するように制御されてもよいし、制御部１５０とは別に設けられた第２の制御部に接続されて第２開閉弁１３９および第２ポンプ１３８の各々とは独立して制御されてもよい。
【００４５】
図１に示すように、吐水部１４０は、発光部１４１と、吐水口１４２と、被洗浄物検知部１４３とを含んでいる。
【００４６】
図１に示すように、吐水部１４０は、第１流路１２０および第２流路１３０の両方に接続されている。具体的には、吐水部１４０は、第１吐水配管１２２および第２吐水配管１３２の各々に接続されている。
【００４７】
図２に示すように、発光部１４１は制御部１５０に電気的に接続されており、制御部１５０からの信号に基づいて異なる色で発光することができる。本実施形態において、発光部１４１は、赤色および青色のいずれか一方に選択的に発光することができる。なお、発光部１４１が発光可能な色は、赤色および青色の２色に限られず、黄色などの他の色を含む３色以上であってもよい。
【００４８】
吐水口１４２は、吐水部１４０の先端側の下部に設けられている。第１流路１２０を流れたアルカリ性水１１および第２流路１３０を流れた酸性水１２の各々は、吐水口１４２から吐出される。
【００４９】
被洗浄物検知部１４３は、被洗浄物が洗浄位置に位置したことを検知する。被洗浄物は、たとえば、図１に示すように人の手１である。図２に示すように、被洗浄物検知部１４３は、制御部１５０に電気的に接続されている。
【００５０】
図２に示すように、制御部１５０は、洗浄殺菌装置１００における他の複数の構成部材の各々に電気的に接続されている。なお、図１においては、制御部１５０と他の複数の構成部材とを接続するための配線は図示していない。
【００５１】
制御部１５０は、アルカリ性水タンク１２３および酸性水タンク１３３の各々に設けられた上記各センサから出力された信号に基づいて、上記各タンクの電解水の貯水量を判断する。制御部１５０は、各タンクの電解水の貯水量に応じて、電解水生成部１１０から各タンクへの電解水の供給量を制御する。ここで、各センサの出力信号に基づいた制御部１５０による電解水生成部１１０の制御について説明する。
【００５２】
制御部１５０は、第２アルカリ性水センサ１２３ｂからアルカリ性水１１の非検知信号が入力された場合、電解水生成部１１０に対し、アルカリ性水タンク１２３へのアルカリ性水１１の供給開始信号を出力する。
【００５３】
制御部１５０は、第１アルカリ性水センサ１２３ａからアルカリ性水１１の検知信号が入力された場合、電解水生成部１１０に対し、アルカリ性水タンク１２３へのアルカリ性水１１の供給停止信号を出力する。
【００５４】
制御部１５０は、第３アルカリ性水センサ１２３ｃからアルカリ性水１１の非検知信号が入力された場合、図示しない報知部に異常発生信号を出力する。制御部１５０から異常発生信号が入力された報知部は、異常発生を警告音または警告表示などで報知する。報知部は、たとえば、電解水生成部１１０に設けられてもよく、吐水部１４０に設けられていてもよい。
【００５５】
制御部１５０は、第２酸性水センサ１３３ｂから酸性水１２の非検知信号が入力された場合、電解水生成部１１０に対し、酸性水タンク１３３への酸性水１２の供給開始信号を出力する。
【００５６】
制御部１５０は、第１酸性水センサ１３３ａから酸性水１２の検知信号が入力された場合、電解水生成部１１０に対し、酸性水タンク１３３への酸性水１２の供給停止信号を出力する。
【００５７】
制御部１５０は、第３酸性水センサ１３３ｃから酸性水１２の非検知信号が入力された場合、上記報知部に異常発生信号を出力する。
【００５８】
本実施形態に係る洗浄殺菌装置１００においては、制御部１５０からの制御信号に基づいて、被洗浄物検知部１４３による被洗浄物の検知から被洗浄物の一連の洗浄殺菌工程が行なわれるように構成されている。以下、本発明の一実施形態に係る洗浄殺菌装置１００における制御部１５０による制御フローについて説明する。
【００５９】
図３は、本発明の一実施形態に係る洗浄殺菌装置の制御部によって行なわれる制御フローを示すフローチャートである。図４は、本発明の一実施形態に係る洗浄殺菌装置の各構成の制御部からの制御信号に基づく一連の動作状態の経時変化を示すタイムチャートである。
【００６０】
なお、図３に示すスタート時においては、第１ポンプ１２８および第２ポンプ１３８の各々は停止しており、かつ、第１開閉弁１２９および第２開閉弁１３９の各々は閉状態となっている。
【００６１】
図３に示すように、本実施形態に係る洗浄殺菌装置１００において、被洗浄物検知部１４３は、被洗浄物が洗浄位置に位置しているか否かを検知する（Ｓ１０１工程）。被洗浄物が洗浄位置に位置することを被洗浄物検知部１４３が検知した場合、被洗浄物検知部１４３の検知信号が制御部１５０に入力される。
【００６２】
検知信号が入力された制御部１５０は、第１開閉弁１２９を開状態にし（Ｓ１０２工程）、第１ポンプ１２８を運転させる（Ｓ１０３工程）。これにより吐水部１４０からアルカリ性水１１が吐出される。さらに、制御部１５０は、発光部１４１を青色に発光させる（Ｓ１０４工程）。
【００６３】
図４に示すように、第１開閉弁１２９が開状態（Ｓ１０２工程）になってから発光部１４１が青色に発光する（Ｓ１０４工程）までの動作は、略同時に行なわれる。
【００６４】
図３および図４に示すように、洗浄殺菌装置１００においては、吐水部１４０からアルカリ性水１１が吐出している第１洗浄時間Ｔ１が設けられている。制御部１５０は、発光部１４１を青色に発光させたあと、第１洗浄時間Ｔ１が経過するまで第１ポンプ１２８、第１開閉弁１２９および発光部１４１の各々の状態を維持させる。
【００６５】
第１洗浄時間Ｔ１の長さは適宜設定される。被洗浄物が手１の場合、十分な洗浄効果を奏し、かつ、肌荒れを防止するという観点から、第１洗浄時間Ｔ１の長さは約１５秒であることが好ましい。
【００６６】
制御部１５０は、第１洗浄時間Ｔ１が経過した後（Ｓ１０５工程）、第１ポンプ１２８を停止し（Ｓ１０６工程）、第１開閉弁１２９を閉状態にする（Ｓ１０７工程）。これにより吐水部１４０からのアルカリ性水１１の吐出が停止する。さらに、制御部１５０は、青色に発光していた発光部１４１を消灯させる（Ｓ１０８工程）。
【００６７】
図４に示すように、第１ポンプ１２８が停止（Ｓ１０６工程）してから発光部１４１の消灯（Ｓ１０８工程）までの動作は、略同時に行なわれる。上記のように、発光部１４１は、吐水部１４０からアルカリ性水１１が吐出されているときには青色に発光するように構成されている。
【００６８】
図３および図４に示すように、洗浄殺菌装置１００においては、第１洗浄時間Ｔ１と、後述する第２洗浄時間Ｔ２との間において、瞬間停止時間Ｔｓが設けられている。
【００６９】
制御部１５０は、瞬間停止時間Ｔｓが経過するまで第１ポンプ１２８、第１開閉弁１２９、第２ポンプ１３８、第２開閉弁１３９および発光部１４１の各々の状態を維持する。すなわち、瞬間停止時間Ｔｓにおいては、吐水部１４０からのアルカリ性水１１および酸性水１２の各々の吐出が停止している。
【００７０】
瞬間停止時間Ｔｓの長さは適宜設定される。瞬間停止時間Ｔｓは、電解水の種類が切り替わったことを直感的に認識することができるように、０．５秒以上１．０秒以下であることが好ましい。
【００７１】
制御部１５０は、瞬間停止時間Ｔｓが経過した後（Ｓ１０９工程）、第２開閉弁１３９を開状態にして（Ｓ１１０工程）、第２ポンプ１３８を運転させる（Ｓ１１１工程）。これにより吐水部１４０から酸性水１２が吐出される。さらに、制御部１５０は、発光部１４１を赤色に発光させる（Ｓ１１２工程）。
【００７２】
図４に示すように、第２開閉弁１３９は開状態（Ｓ１１０工程）になってから発光部１４１が赤色に発光する（Ｓ１１２工程）までの動作は、略同時に行なわれる。すなわち、発光部１４１は、吐水部１４０から電解水が吐出されていないときには消灯している状態となっている。
【００７３】
図３および図４に示すように、洗浄殺菌装置１００においては、吐水部１４０から酸性水１２が吐出している第２洗浄時間Ｔ２が設けられている。制御部１５０は、発光部１４１を赤色に発光させたあと、第２洗浄時間Ｔ２が経過するまで第２ポンプ１３８、第２開閉弁１３９および発光部１４１の各々の状態を維持させる。
【００７４】
第２洗浄時間Ｔ２の長さは適宜設定される。被洗浄物が手１の場合、手１に付着したアルカリ性水を洗い流した上で十分な殺菌効果を奏し、かつ、肌荒れを防止するという観点から、第２洗浄時間Ｔ２の長さは約１５秒であることが好ましい。
【００７５】
制御部１５０は、第２洗浄時間Ｔ２が経過した後（Ｓ１１３工程）、第２ポンプ１３８を停止し（Ｓ１１４工程）、第２開閉弁を閉状態にする（Ｓ１１５工程）。これにより吐水部１４０からの酸性水１２の吐出が停止する。さらに、制御部１５０は、赤色に発光していた発光部１４１を消灯させる（Ｓ１１６工程）。
【００７６】
図４に示すように、第２ポンプが停止（Ｓ１１４工程）してから発光部１４１の消灯（Ｓ１１６工程）までの動作は、略同時に行なわれる。上記のように、発光部１４１は、吐水部１４０から酸性水１２が吐出されているときには赤色に発光する。
【００７７】
このように、発光部１４１は、吐水部１４０からアルカリ性水１１が吐出されているときと、吐水部１４０から酸性水１２が吐出されているときとで、互いに異なる色で発光する。
【００７８】
上記のように、制御部１５０は、被洗浄物の洗浄を開始した後は、被洗浄物検知部１４３からの検知信号に関わらず、被洗浄物の一連の洗浄殺菌工程を終了するまで継続する。
【００７９】
本発明の一実施形態に係る洗浄殺菌装置１００においては、吐水部１４０からアルカリ性水１１が吐出されているときと、吐水部１４０から酸性水１２が吐出されているときとで、発光部１４１が互いに異なる色で発光するため、吐水部１４０自体の発光状態を確認することで、吐出されている電解水の種類を直感的に判断することができる。
【００８０】
また、発光部１４１が、吐水部１４０からアルカリ性水１１が吐出されているときには青色に発光し、吐水部１４０から酸性水１２が吐出されているときには赤色に発光することにより、吐水部１４０自体の発光状態を確認することで、吐出されている電解水がアルカリ性水１１および酸性水１２のいずれであるか直感的に判断することができる。
【００８１】
さらに、本発明の一実施形態に係る洗浄殺菌装置１００においては、吐水部１４０からアルカリ性水１１が吐出している第１洗浄時間Ｔ１と、吐水部１４０から酸性水１２が吐出している第２洗浄時間Ｔ２との間に、吐水部１４０からのアルカリ性水１１および酸性水１２の各々の吐出が停止している瞬間停止時間Ｔｓが設けられている。
【００８２】
上記の構成により、本発明の一実施形態に係る洗浄殺菌装置１００においては、洗浄中に電解水の吐出が瞬間的に停止することにより、電解水の種類が切り替わったことを直感的に認識することができる。手１を洗浄殺菌する場合においては、電解水の種類が切り替わったことを、手１の触覚からも直感的に認識することができる。
【００８３】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００８４】
１  手、１１  アルカリ性水、１２  酸性水、１００  洗浄殺菌装置、１１０  電解水生成部、１１１  給水部、１１２  軟水フィルタ、１２０  第１流路、１２１  第１供給配管、１２２  第１吐水配管、１２３  アルカリ性水タンク、１２３ａ  第１アルカリ性水センサ、１２３ｂ  第２アルカリ性水センサ、１２３ｃ  第３アルカリ性水センサ、１２４  第１戻り配管、１２４ａ  第１戻り開閉弁、１２４ｂ  第１加温ヒータ、１２７  第１逆止弁、１２８  第１ポンプ、１２９  第１開閉弁、１３０  第２流路、１３１  第２供給配管、１３２  第２吐水配管、１３３  酸性水タンク、１３３ａ  第１酸性水センサ、１３３ｂ  第２酸性水センサ、１３３ｃ  第３酸性水センサ、１３４  第２戻り配管、１３４ａ  第２戻り開閉弁、１３４ｂ  第２加温ヒータ、１３７  第２逆止弁、１３８  第２ポンプ、１３９  第２開閉弁、１４０  吐水部、１４１  発光部、１４２  吐水口、１４３  被洗浄物検知部、１５０  制御部、Ｔ１  第１洗浄時間、Ｔ２  第２洗浄時間、Ｔｓ  瞬間停止時間。
【図１】
2020065987.tif 000003
【図２】
2020065987.tif 000004
【図３】
2020065987.tif 000005
【図４】
2020065987.tif 000006